(57)【要約】【課題】  壁貫通形管継手を改良して、手工具を使用せずに着脱することができ、しかも複数個の隔壁継手を密集させて配設し得るようにする。【解決手段】  壁１の取付孔１ａに隔壁継手１０が挿通されていて、次のようにして抜け止めされている。隔壁継手本体にフランジ８が固着されて、壁面に当接している。一方、該隔壁継手１０に一対の取付バネ９が固着されている。前記隔壁継手１０を取付孔１ａに挿通するときは取付バネ９が撓んで通過を妨げない。通過し終えると弾性復元して図示の状態となり、取付孔１ａの周辺に係合する。以上の取付構造はナットを使用しないので、複数個の隔壁継手１０を密集させて配置することができる。（Ｂ）図は、フランジ８を長方形に形成して６個の隔壁継手をモジュール化した例である。【選択図】  図１
2007192341.tif 000002
【特許請求の範囲】
【請求項１】
壁に穿たれた取付孔に挿通固着される隔壁継手において、
取付け状態のとき壁の片側の面に当接するフランジと、他方の面に係合する取付バネとを有し、
上記の取付バネはリーフスプリング状の部材であって、その一端を隔壁継手本体に固着されており、
かつ、該取付バネは前記の取付孔を通過し得るように弾性変形し、自由形状のとき拡開して取付孔の周辺に張り出すようになっていることを特徴とする、壁貫通形管継手。
【請求項２】
前記のフランジが多角形、望ましくは長方形をなしており、
複数個の隔壁継手それぞれのフランジを相互に密接せしめたモジュールを形成し得るようになっていることを特徴とする、請求項１に記載した壁貫通形管継手。
【発明の詳細な説明】
【技術分野】
【０００１】
本発明は、壁を貫通させて装着する型式の管継手（以下、隔壁継手という）に係り、特に、複数個の管継手を密集せしめて壁に装着するに好適なように改良した管継手に関するものである。
【背景技術】
【０００２】
図２（Ａ）は、壁を貫通させて装着する型式の管継手の従来例を示す模式図である。
隔壁継手２は、壁１の取付孔１ａに挿通され、ナット３を締め付けて固定されている。また、その取付孔は、1個の継手に対して各々１個用意されている。
上記隔壁継手２の両端にはワンタッチ継手４が設けられており、これにチューブ５を嵌め合わせることにより、壁の両側のチューブ５が相互に接続されるとともに、壁に対して固定される。
この従来例の壁は、住居の壁ではなく、制御装置等の筺体である。前記のチューブ５は、流体の管路として用いることもでき、電気配線を挿通することもできる。
【特許文献１】特開平１０−１０３５７５号公報
【特許文献２】特開２００４−１４４１１５号公報
【特許文献３】特開平１１−２４２９２２号公報
【発明の開示】
【発明が解決しようとする課題】
【０００３】
前掲の図２（Ａ）に示された隔壁継手２を、壁１と直角方向から視たところを模式的に描くと図２（Ｂ）のごとくである。
隔壁継手２を取り付けるにはナット３を締め付けねばならないので、隣接する隔壁継手２相互の間にスパナ６が入るだけの間隔を設けなければならない。
単にスパナ６が入り得るというだけでなく、ナット３を回すための余裕（スパナの首振り角θ）を与えねばならないので、隔壁継手相互の間隔はかなり広く取らなければならない。
その上、壁の手前側でスパナ６を操作する作業員と、壁の向こう側でナット３を押さえる補助作業員とが必要であって、人手が掛かる。
【０００４】
本発明は以上に述べた事情に鑑みて為されたものであって、その目的とするところは、多数の隔壁継手を相互に密接せしめて配置でき、しかも、一人の作業員によって迅速容易に装着することができ、更に、複数個の隔壁継手をモジュール化し得る壁貫通形管継手を提供するにある。
本発明においてモジュール（Ｍｏｄｕｌｅ）とは、ひとまとめにして規格化された配線配管素子をいう。
【課題を解決するための手段】
【０００５】
上記の目的を達成するために創作した本発明の基本的な着想を原理を、その１実施形態に対応する図１を参照して略述すると下記のとおりである。
隔壁継手１０は、壁１の取付孔１ａに挿通され、次のようにして「抜け止め」を施されている。
隔壁継手１０と一体的に構成されたフランジ８が、壁の右側の面に接している。
一方、隔壁継手１０と一体的に構成された取付バネ９が、壁の左側の面に係合している。
【０００６】
前記の取付バネ９それ自体は、単品の部材としては公知であり、装着容易な抜け止め部材として用いられている。
図３は、特許文献３として示した特開平１１−２４２９２２号公報に係る操作用スイッチの略図である。鎖線で描かれているパネルの取付孔にスイッチ本体７が挿通され、フランジ８と取付バネ９とで抜け止めされている。
このように、本発明装置は公知の構成部材を利用しているが、後に詳しく述べるように、当業者が容易には想到し得ざる構成を創作し、従来予想し得なかった実用的効果を奏したものである。
【０００７】
請求項１の発明に係る壁貫通形管継手の構成は、（図１参照）
壁（１）に穿たれた取付孔（１ａ）に挿通固着される隔壁継手（１０）において、
取付け状態のとき壁の片側の面に当接するフランジ（８）と、他方の面に係合する取付バネ（９）とを有し、
上記の取付バネはリーフスプリング状の部材であって、その一端を隔壁継手本体に固着されており、
かつ、該取付バネは前記の取付孔を通過し得るように弾性変形し、自由形状のとき拡開して取付孔の周辺に張り出すようになっていることを特徴とする。
【０００８】
請求項２の発明に係る壁貫通形管継手の構成は、前記請求項１の発明装置の構成要件に加えて、
前記のフランジ（８）が多角形、望ましくは長方形をなしており、
複数個の隔壁継手それぞれのフランジを相互に密接せしめたモジュールを形成し得るようになっていることを特徴とする。
【発明の効果】
【０００９】
請求項１に係る壁貫通形管継手を適用すると、隔壁継手を壁に対して迅速容易に装着固定することができ、しかも、協力者が居なくても一人で着脱することができて、多くの人手を要しない。
更に、複数個の隔壁継手を相互に密接せしめて配置することができ、密接させることにより、各々の取付孔を各列ごとに右端から左端までの幅を持つ長方形の一つ孔に置き換えることができる。
【００１０】
請求項２の発明を前記請求項１の発明装置に併せて適用すると、多数の隔壁継手をモジュール（纏められた配線配管素子）化することができ、配管配線の高密度化に有効である上に、外観が簡素となり、意匠的価値を向上せしめて商品価値を高める。
【発明を実施するための最良の形態】
【００１１】
図１（Ａ）は本発明の１実施形態を示す模式図である。
壁１に取付孔１ａが設けられている。本発明を適用して構成された隔壁継手１０には、フランジ８が一体的に固着されるとともに、一対の取付バネ９が設けられている。
ただし本発明を実施する際、フランジ８は必ずしも隔壁継手本体と一体構成であることを要しない。
前記の取付バネ９はリーフスプリング状の部材であって、本例においては弾性を有する合成樹脂によって隔壁継手本体と一体に成形されている。ただし本発明を実施する場合、隔壁継手１０と別体に構成されたリーフスプリングを取り付けることもできる。該リーフスプリングは金属製であっても合成樹脂製であっても良い。
【００１２】
隔壁継手１０を壁１に装着するには、図の左側のチューブ５をワンタッチ継手で接続する前に、該隔壁継手１０を壁１の右側から取付孔１ａに差し込む。
このとき、取付バネ９は弾性的に変形して取付孔１ａ内を通過する。通過し終えると弾性で復元して自由形状になり、その自由端が拡開して取付孔１ａの周辺（本図において上下）に張り出す。張り出した自由端は壁に係合して抜け止め機能を果たす。
上記のようにして隔壁継手１０を壁１に取り付けた後、図の左右のチューブ５をワンタッチ継手４に嵌め合わせて接続する。
【００１３】
図１（Ａ）を参照して以上に説明したように、本発明に係る隔壁継手１０の取り付け作業は「スパナでナットを回す」という操作を伴わないので、近傍に障害物が存在していても可能である。同様の理由で、複数個の隔壁継手１０を密集させて配置し装着することも可能である。
一対の取付バネ９を指先で挟んで圧し縮めると、取付孔１ａを通過させて取り外すことができる。この操作も手工具（スパナなど）を要しない。
【００１４】
図１（Ｂ）は、上記と異なる実施形態を示し、チューブ５を接続せずに壁と直角な方向から見たところを描いてある。
本例のフランジ８は長方形に形成してある。このため、多数個（本例では６個）の隔壁継手を密集させて配置することが可能である。
本例においては、６個のフランジ８が相互に密接して２×３＝６個のモジュールが構成されている。
また、その取付孔は、モジュールの各列右端から左端までの幅を持つ長方形の一つの孔としている。
【００１５】
図１（Ｂ）のようにモジュール化を図れば、配線，配管の高密度化が可能になるのみならず、作業性が改善されて組立コストが節減され、また、取付孔を各列1個にすることにより、壁１の加工コストを低減することができる。しかも、外観が簡素になって意匠的価値が向上する。
本図は６個モジュールを例示したが、何個であっても同様の作用効果が得られる。
本実施形態のフランジ８は長方形であるが、フランジを六角形に形成しても高密度化を図り得る。一般に多角形に構成することができるが、とりわけ長方形にすることが望ましい。長方形の角を適宜に丸めることもできる。
【図面の簡単な説明】
【００１６】
【図１】本発明の１実施形態を示し、（Ａ）は側面図、（Ｂ）は端面図
【図２】隔壁継手の従来例を示し、（Ａ）は側面図、（Ｂ）は取付作業を説明するための模式図
【図３】特開平１１−２４２９２２号公報に開示された操作用スイッチの概要的な正面図
【符号の説明】
【００１７】
１…壁、４…ワンタッチ継手、５…チューブ、８…フランジ、９…取付バネ、１０…隔壁継手。
【図１】
2007192341.tif 000003
【図２】
2007192341.tif 000004
【図３】
2007192341.tif 000005